(57)【要約】【解決課題】  シート材にダメージを与えることなく、確実に画像形成部へ再度搬送することができるシート材搬送装置及び画像形成装置を提供すること。【解決手段】  片面印刷の場合にはシート材Ｓが第１搬送路Ｐ１から第２搬送路Ｐ２に向かうようにガイドし、両面印刷の場合には第２搬送路Ｐ２からスイッチバックしてくるシート材Ｓが第１搬送路Ｐ１に向かわないように第１搬送路Ｐ１を遮蔽するとともにシート材Ｓを第３搬送路Ｐ３に向かうようにガイドするガイド部材60を設ける。【選択図】図１
2010083636.tif 000002
【特許請求の範囲】
【請求項１】
画像形成部によって画像が形成されたシートを所定の搬送位置まで搬送するための第１の搬送路と、
前記画像形成部によって画像が形成されたシートを排出する第１のシート排出部と、
前記シートを前記所定の搬送位置から前記第１のシート排出部まで搬送するためであるとともに前記シートをスイッチバックにより表裏を反転させるための第２の搬送路と、
前記第２の搬送路でスイッチバックにより表裏を反転させられた前記シートを前記画像形成部まで搬送するための第３の搬送路と、
前記シートを前記画像形成部から前記第１の搬送路及び前記第２の搬送路を経由して前記第１のシート排出部まで搬送する第１の搬送手段と、
前記シートを前記第１の搬送路から前記第２の搬送路に搬送してスイッチバックにより表裏を反転させて前記第３の搬送路を経由して前記画像形成部まで搬送する第２の搬送手段と、
前記シートが前記第１の搬送手段によって搬送されているときには前記シートを前記第２の搬送路に向かうようにガイドし、前記シートが前記第２の搬送手段によって搬送されているときには前記第１の搬送路を遮蔽するとともに前記シートを前記第３の搬送路に向かうようにガイドするガイド部材と、
を有し、
前記第２の搬送路は開閉可能であり、前記ガイド部材は第２の搬送路が開放されたときに前記第２の搬送路から退避することを特徴とするシート搬送装置。
【請求項２】
前記ガイド部材は前記第１の搬送路を遮蔽する方向に付勢されていることを特徴とする請求項１に記載のシート搬送装置。
【請求項３】
前記第２の搬送路の開閉動作に連動して前記ガイド部材の位置を切り換えることで前記ガイド部材の退避動作を行うことを特徴とする請求項１又は請求項２に記載のシート搬送装置。
【請求項４】
前記第１の搬送手段は、一定方向に回転する第１の回転体と、前記第１の回転体に当接し、前記第１の回転体とともに、前記第１の搬送路にあるシートを挟持して前記第２の搬送路へ搬送する第２の回転体とを有し、
前記第２の搬送手段は、前記第１の回転体と、前記第１の回転体に前記第２の回転体とは異なる位置で当接し、前記第１の回転体とともに、前記第２の搬送路にある前記シートを挟持して前記第３の搬送路へ搬送する第３の回転体とを有すること
を特徴とする請求項１乃至請求項３のいずれか１項に記載のシート搬送装置。
【請求項５】
シートに画像を形成する画像形成部と、
請求項１乃至４のいずれか1項に記載のシート搬送装置と、
を具備することを特徴とする画像形成装置。
【発明の詳細な説明】
【技術分野】
【０００１】
本発明はシート搬送装置及び画像形成装置に関するものである。特に、シート搬送経路の切り替えやシートを反転搬送する装置に関する。
【背景技術】
【０００２】
従来、複写機、プリンタ、ファクシミリ等の画像形成装置においてシートの表裏両面に画像を形成することの出来る装置がある。このような画像形成装置で、シートの表裏両面に画像形成を行う場合には、まずシートの片面に画像形成を行った後に、裏面への画像形成を行うため、片面への画像形成が行われたシートを反転させて再度、画像形成部へ搬送を行い裏面への画像形成を行う。
【０００３】
このようにシートを反転させ再度搬送を行うためにシートをスイッチバックして搬送方向を逆転するスイッチバック構成が用いられる。スイッチバックを行い、搬送路を切り換える手段としてはローラ対等が用いられる。
【０００４】
図15を用いて、ローラ対を用いてスイッチバックを行う構成を説明する。図15は従来のシート搬送装置を備えた画像形成装置の一例であるレーザビームプリンタ (以下装置と称す)の概略構成図である。装置99はシートＳの表裏両面への画像形成が可能であり、画像形成部91、定着部93およびシートＳを反転させて再度、画像形成部へ搬送するシート搬送装置であるシート反転搬送部92を備えている。
【０００５】
この装置99によってシートＳの表裏両面に画像形成する場合には、まず、画像形成部91によりシートＳの片面へ画像形成を行い、次に定着部93へ送られ画像が定着される。その後、シートＳは反転ローラ対924へ搬送される。シートＳの後端が定着排出ローラ921と第１コロ922との第１ニップＮ１を通過すると、反転ローラ対924は一旦停止する。片面への画像形成が終了したシートＳの後端は、定着排出ローラ921と第１コロ922との拘束から開放され、反転ローラ対924のニップ角度により、搬送路の外側に沿った状態で停止する。この後、反転ローラ対924が逆回転すると、シートＳは定着排出ローラ921と第２コロ923との第２ニップＮ２へ向かって反転搬送され、第２ニップＮ２へ送り込まれる。そして、シートＳは搬送ローラ対926により、再び画像形成部91へ搬送され、裏面に画像形成された後に、定着部93を経て排出ローラ対925により排出される。
【０００６】
シートＳの後端が画像形成面側にカールしている場合に、第２ニップＮ２へ搬送するためにガイド形状を設けた構成が特許文献１に開示されている。しかしながら、この構成においてもカールの度合いによっては、シートＳの先端部が第１ニップＮ１に向かうことがある。
【０００７】
また、このような装置99において表裏両面への画像形成を行わず、片面のみに画像形成を行う場合には排出トレイ927を開放し画像形成面を上向きにして排出することが可能である。この時には、定着排出ローラ921と第１コロ922とによる搬送によりシートＳを排出することとなる。
【０００８】
【特許文献１】特許第３０５８７２０
【発明の開示】
【発明が解決しようとする課題】
【０００９】
上述したように、従来のローラ対を用いてスイッチバックを行う構成においては、シートＳは一般に定着部93を通過する際に定着部93によって付与された熱および圧力によりカールしていることが多い。例えば、シートＳの後端が画像形成面側にカールしていると、反転ローラ対924による逆回転で第２ニップＮ２へ搬送される際に、シートＳの端部は第１ニップＮ１や定着排出ローラ921、第１コロ922に向かう場合がある。この時、第１ニップＮ１はシートＳを排出する方向に回転しているため、搬送不良が発生し、またシートＳ端部へダメージを与えることとなる。また、シートＳの後端が非画像形成面側にカールしている場合には、同様に搬送不良やシートＳ端部を折り曲げた状態で第２ニップＮ２においてニップすることとなる。
【００１０】
本発明は上記問題を解決するためになされたものであり、その目的は、シートにダメージを与えること無く、確実に画像形成部へ再度搬送することが可能なシート搬送装置および画像形成装置を提供することにある。
【課題を解決するための手段】
【００１１】
上記課題を解決するための本発明における代表的な手段は、画像形成部によって画像が形成されたシートを所定の搬送位置まで搬送するための第１の搬送路と、前記画像形成部によって画像が形成されたシートを排出する第１のシート排出部と、前記シートを前記所定の搬送位置から前記第１のシート排出部まで搬送するためであるとともに前記シートをスイッチバックにより表裏を反転させるための第２の搬送路と、前記第２の搬送路でスイッチバックにより表裏を反転させられた前記シートを前記画像形成部まで搬送するための第３の搬送路と、前記シートを前記画像形成部から前記第１の搬送路及び前記第２の搬送路を経由して前記第１のシート排出部まで搬送する第１の搬送手段と、前記シートを前記第１の搬送路から前記第２の搬送路に搬送してスイッチバックにより表裏を反転させて前記第３の搬送路を経由して前記画像形成部まで搬送する第２の搬送手段と、前記シートが前記第１の搬送手段によって搬送されているときには前記シートを前記第２の搬送路に向かうようにガイドし、前記シートが前記第２の搬送手段によって搬送されているときには前記第１の搬送路を遮蔽するとともに前記シートを前記第３の搬送路に向かうようにガイドするガイド部材と、を有し、前記第２の搬送路は開閉可能であり、前記ガイド部材は第２の搬送路が開放されたときに前記第２の搬送路から退避することを特徴とする。
【発明の効果】
【００１２】
本発明のシート搬送装置では、第２の搬送手段によって、シートが第２の搬送路から第３の搬送路に搬送される際には、ガイド部材が第１の搬送路を遮蔽する。したがって、シートがカール等することによって第１の搬送路に向かうことを防止することができる。そして、ガイド部材が第２の搬送路の開放時に搬送路から退避する構成とすることで、小型の装置構成で、シートにダメージを与えること無く、確実に画像形成部へ再度搬送することができる。
【発明を実施するための最良の形態】
【００１３】
〔第１実施形態〕
本発明の第１実施形態に係るシート搬送装置及び画像形成装置をレーザビームプリンタに用いた場合を例示し、図面を参照して具体的に説明する。
【００１４】
図１は第１実施形態のレーザビームプリンタ（以下、装置本体と記す）の概略構成断面図である。図２、図３、図４、図５はシートの反転搬送時の動作を示す概略図である。図６はシートの画像形成面を上にした状態での排出動作を示す概略図である。図７はシートの反転搬送時のカール状態を示す概略図である。
【００１５】
［電子写真画像形成装置の全体構成］
まず、図１を参照しシートＳの流れに沿って概略的な構成を説明する。装置本体Ｅは電子写真方式によって画像を形成するものである。そして、装置給送搬送手段によってシートＳを画像形成手段へ搬送してトナー像を転写し、そのシートＳを定着手段へ搬送してトナー定着したあと、排出部（第１のシート排出部）100へと排出するものである。具体的には、装置本体Ｅの下部にシートＳを積載収納するカセット11が装填されている。シート給送部１内のカセット11内に積載収納されているシートＳが、反時計回り方向に回転する給送ローラ12によって最上位のシートから順に繰り出され、搬送ローラ対13、14により画像形成部２に送られる。
【００１６】
画像形成部２は感光体22及び感光体22に作用するプロセス手段を一体的にカートリッジ化して、このプロセスカートリッジＰを装置本体Ｅに着脱可能とするカートリッジ方式である。
【００１７】
画像形成部２近傍にはシートの通過を検知するセンサレバー15、フォトインタラプタ16が設けられており、シートＳの通過を検知する。このシートＳの通過を検知した後、所定時間経過後にレーザスキャナ21によって、画像情報に応じたレーザ光が時計回り方向に回転している感光体22上に照射され、感光体22上には静電潜像が形成される。この静電潜像はプロセスカートリッジＰ内の現像部にてトナー現像される。画像形成部２にて画像が未定着画像として転写され、定着部３に送られてくる。定着部３を通過して定着処理を終えたシートＳは排出ローラ対55により搬送され排出される。また、排出トレイ（第２のシート排出部）56は開閉可能になっており、この排出トレイ56を開放し、シートＳを装置本体Ｅの外へ排出することも可能な構成である。なお、図１の25は装置の電源部および、装置を制御する制御基板を有する電装部である。
【００１８】
次に、シートＳの表裏両面印字時について説明する。シートＳの両面に記録を行う場合には、前記定着部３を通過して表面側に画像記録されたシートＳをスイッチバックすることで搬送ローラ対57、58により再度、画像形成部２に搬送してシートＳの裏面側に画像記録を行った後に排出される。
【００１９】
［シート反転搬送部およびその近傍構成］
シート反転搬送部５およびその近傍の構成について図１を参照して説明する。定着部３により画像を定着されたシートＳを搬送するために、定着部３のシート搬送方向の下流に一定方向に回転する定着排出ローラ51（第１の回転体）が配置されている。定着排出ローラ51とシートＳを挟持して反転ローラ対54に搬送する第１コロ（第２の回転体）52が圧接するように設けられている。さらに、この定着排出ローラ51には、定着排出ローラ51とシートＳを挟持して搬送ローラ対57、58に搬送する第２コロ（第３の回転体）53が圧接するように設けられている。
【００２０】
画像形成部２から定着排出ローラ51と第１コロ52との第１ニップ（所定の搬送位置）Ｎ１までの搬送路を第１搬送路（第１の搬送路）Ｐ１とする。第１ニップＮ１から排出ローラ対55、および排出ローラ対55から定着排出ローラ51と第２コロ53との第２ニップＮ２までを第２搬送路（第２の搬送路）Ｐ２とする。第２ニップＮ２から搬送ローラ対57、58を経由して画像形成部２までの搬送路を第３搬送路（第３の搬送路）Ｐ３とする。
【００２１】
第１搬送路Ｐ１中で、定着部３よりシート搬送方向下流側の位置に定着センサ59が設けられシートＳの有無を検出する。ガイド手段はガイド部材60とガイドアーム61により構成されている。ガイド部材60は第１搬送路Ｐ１を遮蔽し、反転ローラ対54へガイド面60ａによりシートＳをガイドする。また、第２ニップＮ２へはガイド面60ｂによりシートＳをガイドする。ガイド部材60の先端部にはガイドコロ64が回動自在に設けられており、このガイドコロ64は比較的接触角の大きいポリアセタールやフッ素樹脂を用いている。
【００２２】
ガイド部材60はガイドアーム61の支持部61ｂ（破線）に回動自在に支持され、第１搬送路Ｐ１を遮蔽する方向（時計回り方向）に弾性部材（不図示）により付勢されている。この付勢力は、第２搬送路Ｐ２へ搬送されるシートの腰の強さにより、ガイド部材60が第１搬送路Ｐ１を遮蔽している位置から、シートを反転ローラ対54へ搬送可能な位置(退避位置)へ回動可能な大きさに設定されている。
【００２３】
ガイドアーム61は支持部61ａを回動中心として回動自在に支持され、第１搬送路Ｐ１を開放する方向（時計回り方向）に弾性部材（不図示）により付勢されている。また、ガイドアーム61は、シート搬送領域外に配置されている。さらに、ガイドアーム61は支持部56ａを中心に回動自在に設けられた排出トレイ56を閉じた状態で、排出トレイ56のガイドアーム押圧部(不図示)に押圧されることで、第１位置(図２の位置)に固定される。そして、排出トレイ56を開放すると、前記押圧部による押圧が解除され、弾性部材(不図示)により時計回りに回動して第２位置(図６の位置)となり、搬送路を開放する。
【００２４】
第２搬送路Ｐ２中の反転ローラ対54、排出ローラ対55は正逆回転可能でシートＳの排出および反転・搬送を行う。また、シート反転搬送部５は反転ローラ対54、排出ローラ対55を正逆回転駆動する駆動手段(不図示)が設けられている。
【００２５】
第３搬送路Ｐ３中の搬送ローラ対57、58は、片面への画像形成済のシートＳを再度、画像形成部２へ搬送する。排出トレイ56は支持部56ａを中心に回動し、第２搬送路Ｐ２を開放することが可能で、画像形成面を上側にした状態でシートＳを排出可能とする。
【００２６】
［シートの反転搬送］
次に上記構成においてシートの反転搬送時の動作について、図２、図３、図４、図５、及び図７を参照して説明する。
【００２７】
シートＳの表裏両面へ画像形成を行う際、シートＳは第１搬送路Ｐ１を搬送され片面への画像形成および定着がなされた後、第１ニップＮ１へ導かれる。この時、定着センサ59によりシートＳの先端を検知する(図２)。シートＳの先端部はガイド部材60のガイド面60ａに当接しガイド部材60を反時計回りに回転させ搬送路から退避させる。ガイド部材60はシートの腰の強さにより退避するため、ガイド面60ａがシートＳの先端にダメージを与えることはない。その後、シートＳの先端はガイド面60ａから第２搬送路Ｐ２へスムーズに導かれる。
【００２８】
定着排出ローラ51と第１コロ52とにより第２搬送路Ｐ２への搬送中には、ガイド部材60の先端部がシートＳと当接する。しかし、ガイド部材60の先端部のガイドコロ64が回動すること、およびガイド部材60が反時計回りに退避可能なため、たとえ画像形成面であってもダメージ等を与えることはない(図３)。さらに、反転ローラ対54の搬送速度が定着排出ローラ51の搬送速度より遅く、両ローラ間でシートがたるむような状態になった場合にも前述と同様に画像へダメージを与えることはない。
【００２９】
その後、シートＳの後端が定着センサ59を抜け所定時間経過後に反転ローラ対54および排出ローラ対55はシートＳを第２ニップＮ２および第３搬送路へ導くために逆回転を始める。ガイド部材60はシートＳの後端がガイドコロ64を抜けるとすぐに弾性部材(不図示)により時計回り方向へ回転し初期位置へ戻る。この時、ガイド部材60およびガイドコロ64は第１搬送路Ｐ１を塞ぐ。また同時に、ガイド部材60の第２ニップＮ２へのガイド面60ｂがシートＳの後端をガイドする位置となる(図４)。この様に、ガイド部材60を抜けてすぐに反転搬送可能となるため、搬送路を短くすることが出来、装置を小型化および高速化することが出来る。反転搬送開始時にシートＳの後端が、図７に示すように定着部の影響でカールしている場合には、ガイド面60ｂによりシートＳの端部を付勢することが出来る。ガイド面60ｂは、スムーズに第２ニップＮ２近傍までガイドしている。
【００３０】
この結果、画像形成面側または非画像形成面側のどちらへカールしているシートＳにおいても、反転搬送時に第１搬送路Ｐ１側へ搬送されて搬送不良を起こすことはない。また、シートＳ端部が定着排出ローラ51へ突き当たりダメージを受けることもなく、確実かつスムーズに第２ニップＮ２へ導き、再び画像形成部２へ搬送することが出来る。
【００３１】
［シートの画像形成面を上にした状態での排出］
次に上記構成においてシートＳの画像形成面を上にした状態での排出動作について、図６を参照して説明する。
【００３２】
シートＳの表面のみへ画像形成を行い、画像形成面を上側にした状態でシートＳを排出する際には、排出トレイ56を支持部56ａを中心に回動させ、第２搬送路Ｐ２を開放し画像形成面を上側にした状態でシートＳを排出可能な状態とする。
【００３３】
排出トレイ56を開放すると、前述したように排出トレイ56のガイドアーム押圧部(不図示)に押圧されていたガイドアーム61が開放され、弾性部材(不図示)によって時計回りに回転し、搬送路を開放する。このとき、ガイドアーム61に支持されているガイド部材60は第２搬送路から退避した状態となる。
【００３４】
シートＳは第１搬送路Ｐ１を搬送されて片面への画像形成および定着がなされた後、第１ニップＮ１へ導かれる。この時、定着センサ59によりシートＳの先端を検知する。第１ニップＮ１へ搬送されたシートＳは、定着排出ローラ51と第１コロ52により搬送されるが、排出トレイ56を開放することによりガイド部材60が搬送路から退避しているため、確実に排出トレイ56のシート積載面へと搬送される。
【００３５】
すなわち、排出トレイ56の開閉動作に連動してガイド部材60が退避動作を行う。このように排出トレイ56の開閉動作に連動してガイド部材60の位置切り換えが可能なため、アクチュエータ等を必要とすることなく低コストで確実なシートのスイッチバックと、排出トレイ56を開放した状態でのシートＳの確実な排出を行うことが可能である。
【００３６】
なお、定着部３、定着排出ローラ51、第１コロ52、反転ローラ対54、排出ローラ対55は第１の搬送手段を構成し、定着部３、定着排出ローラ51、第１コロ52、第２コロ53、搬送ローラ対14、57、58は第２の搬送手段を構成する。
【００３７】
〔第２実施形態〕
本発明の第２の実施形態について図面を参照して具体的に説明する。第１の実施形態で説明したものと同一の部分には同一の符号を付し重複する説明は省略する。
【００３８】
図８はシート搬送装置を備えた画像形成装置(本実施形態においてはレーザビームプリンタ、以下装置本体と称す)の概略構成断面図である。図９、図10、図11、図12はシートの反転搬送時の動作を示す概略図である。図13はシートの画像形成面を上にした状態での排出動作を示す概略図である。図14はシートの反転搬送時のカール状態を示す概略図である。
【００３９】
［シート反転搬送部およびその近傍構成］
シート反転搬送部５およびその近傍の構成について図８を参照して説明する。シート搬送路は次のように設けられている。画像形成部２から搬送路分岐点（所定の搬送位置）Ｄ１までの第１搬送路Ｐ１とする。搬送路分岐点Ｄ１から排出ローラ対55、および排出ローラ対55から搬送路分岐点Ｄ１までの第２搬送路Ｐ２とする。搬送路分岐点Ｄ１から搬送ローラ対58を介して画像形成部２までの第３搬送路Ｐ３とする。第１搬送路Ｐ１中で、定着部３よりシート搬送方向下流側の位置に定着センサ59が設けられシートＳの有無を検出する。ガイド手段はガイド部材62とリンクアーム63により構成されている。リンクアーム63は説明の都合上破線にて示す。ガイド部材62は第１搬送路Ｐ１を遮蔽し、反転ローラ対54へガイド面62ａによりシートをガイドする。また、搬送路分岐点Ｄ１へはガイド面62ｂによりシートＳをガイドする。ガイド部材62はリンクアーム63の支持部63ｂに回動自在に支持され、第１搬送路Ｐ１を遮蔽する方向に弾性部材（不図示）により付勢されている。この付勢力は、第２搬送路Ｐ２へ搬送されるシートＳの腰の強さにより、ガイド部材62が第１搬送路Ｐ１を遮蔽している位置から、シートＳを反転ローラ対54へ搬送可能な位置(退避位置)へ回動可能な大きさに設定されている。リンクアーム63は支持部63ａを回動中心として回動自在に支持され、突起部63ｃが排出トレイ56のリンク部56ｂと係合している。また、リンクアーム63はシート搬送領域外で構成されている。排出トレイ56とリンクアーム63は係合しているため、支持部56ａを中心に回動自在に設けられた排出トレイ56を閉じた状態で、リンクアーム63は第１位置(図９の位置)に固定される。さらに、排出トレイ56を開放すると、リンク部56ｂに突起部63ｃが係合しているため、リンクアーム63は反時計回りに回動し第２位置(図13の位置)となり、ガイド部材62が搬送路を開放する。
【００４０】
第２搬送路Ｐ２中の反転ローラ対54、排出ローラ対55は正逆回転可能でシートＳの排出および反転・搬送を行う。また、シート反転搬送部５は反転ローラ対54、排出ローラ対55を正逆回転駆動する駆動手段(不図示)が設けられている。
【００４１】
第３搬送路Ｐ３中の搬送ローラ対57、58は、片面への画像形成済のシートＳを再度、画像形成部２へ搬送する。排出トレイ56は支持部56ａを中心に回動し、第２搬送路Ｐ２を開放することが可能で、画像形成面を上側にした状態でシートＳを排出可能とする。
【００４２】
［シートの反転搬送］
次に上記構成においてシートの反転搬送時の動作について、図９、図10、図11、図12、及び図14を参照して説明する。
【００４３】
シートＳの表裏両面へ画像形成を行う際、シートＳは第１搬送路Ｐ１を搬送され片面への画像形成および定着がなされた後、搬送路分岐点Ｄ１へ導かれる。この時、定着センサ59によりシートＳの先端を検知する(図９)。シートＳの先端部はガイド部材62のガイド面62ａに当接しガイド部材62を反時計回りに回転させ搬送路から退避させる。ガイド部材62はシートの腰の強さにより退避するため、ガイド面62ａがシートＳ先端にダメージを与えることはない。その後、シートＳの先端はガイド面62ａから第２搬送路Ｐ２へスムーズに導かれる。第２搬送路Ｐ２を搬送中には、シートＳがガイド部材62と当接することでガイド部材62を退避させた状態とする。 反転ローラ対54の搬送速度が定着部３の搬送速度より遅く、両ローラ間でシートがたるむような状態になった場合には、ガイド部材62が反時計回りに退避可能である(図10)。
【００４４】
その後、シートＳの後端が定着センサ59を抜け所定時間経過後に反転ローラ対54および排出ローラ対55はシートＳを第３搬送路へ導くために逆回転を始める。ガイド部材62はシートＳの後端が抜けるとすぐに弾性部材(不図示)により時計回り方向へ回転し初期位置へ戻る。この時、ガイド部材62は第１搬送路Ｐ１を塞ぐ。また同時に、ガイド部材62の第３搬送路へのガイド面62ｂがシートＳ後端をガイドする位置となる(図11)。この様に、ガイド部材62を抜けてすぐに反転搬送可能となるため、搬送路を短くすることが出来、装置を小型化および高速化することが出来る。反転搬送開始時にシートＳ後端が、図14に示すように定着部の影響でカールしている場合には、ガイド面62ｂによりシートＳの端部を付勢することが出来る。ガイド面62ｂは、スムーズに搬送路分岐点Ｄ１までガイドしている。
【００４５】
この結果、画像形成面側または非画像形成面側のどちらへカールしているシートＳにおいても、反転搬送時に第１搬送路Ｐ１側へ搬送されて搬送不良を起こすことはなく、確実かつスムーズに第３搬送路へ導き、再び画像形成部２へ搬送することが出来る。
【００４６】
［シートの画像形成面を上にした状態での排出］
次に上記構成においてシートの画像形成面を上にした状態での排出動作について、図13を参照して説明する。
【００４７】
シートＳの表面のみへ画像形成を行い、画像形成面を上側にした状態でシートＳを排出する際には、排出トレイ56を支持部56ａを中心に回動させ、第２搬送路Ｐ２を開放し画像形成面を上側にした状態でシートＳを排出可能な状態とする。排出トレイ56を開放すると、リンク部56ｂに突起部63ｃが係合しているため、リンクアーム63およびガイド部材62は反時計回りに回動し、ガイド部材62が搬送路から退避した状態となる。シートＳは第１搬送路Ｐ１を搬送され片面への画像形成および定着がなされた後、搬送路分岐点Ｄ１へ導かれる。この時、定着センサ59によりシートＳの先端を検知する。排出トレイ56を開放することによりガイド部材62が搬送路から退避しているため、確実にシートＳを排出トレイ56のシート積載面へ搬送することが出来る。
【００４８】
上述のように、排出トレイ56の開閉動作に連動してガイド部材の位置切り換えが可能である。このため、アクチュエータ等を必要とすることなく低コストで確実なシートのスイッチバックと、排出トレイ56を開放した状態でのシートＳの確実な排出を行うことが可能である。
【００４９】
また、ガイド部材62とシートＳの当接面へ回転体を用いる構成、搬送路分岐点Ｄ１近傍へローラ対を用いる構成は上述した実施形態の構成へ適用できる。
【００５０】
なお、定着部３、反転ローラ対54、排出ローラ対55は第１の搬送手段を構成し、定着部３、搬送ローラ対14、57、58は第２の搬送手段を構成する。
【００５１】
上述した実施形態では画像形成装置としてレーザビームプリンタを例示したが、画像形成プロセスを用いて、記録シート、ＯＨＰシート、布等の記録媒体に画像を形成する装置に適用できる。例えば、複写機、プリンタ（例えば、ＬＥＤプリンタ、レーザビームプリンタ、インクジェットプリンタ等）、ファクシミリ装置、およびワードプロセッサ等の他の画像形成装置においても上述構成を適用できる。
【００５２】
さらには、画像形成装置のみならず、シート搬送装置を用いてシート搬送経路の切り替えやシートを反転搬送する装置においても上述構成を適用できる。
【図面の簡単な説明】
【００５３】
【図１】本発明の第１の実施形態のレーザビームプリンタの概略構成断面図である。
【図２】図１に示すレーザビームプリンタのシートの反転搬送時の動作を示す概略図である。
【図３】図１に示すレーザビームプリンタのシートの反転搬送時の動作を示す概略図である。
【図４】図１に示すレーザビームプリンタのシートの反転搬送時の動作を示す概略図である。
【図５】図１に示すレーザビームプリンタのシートの反転搬送時の動作を示す概略図である。
【図６】図１に示すレーザビームプリンタのシートの画像形成面を上にした状態での排出動作を示す概略図である。
【図７】図１に示すレーザビームプリンタのシートの反転搬送時のカール状態を示す概略図である。
【図８】本発明の第２の実施形態のレーザビームプリンタの概略構成断面図である。
【図９】図８に示すレーザビームプリンタのシートの反転搬送時の動作を示す概略図である。
【図１０】図８に示すレーザビームプリンタのシートの反転搬送時の動作を示す概略図である。
【図１１】図８に示すレーザビームプリンタのシートの反転搬送時の動作を示す概略図である。
【図１２】図８に示すレーザビームプリンタのシートの反転搬送時の動作を示す概略図である。
【図１３】図８に示すレーザビームプリンタのシートの画像形成面を上にした状態での排出動作を示す概略図である。
【図１４】図８に示すレーザビームプリンタのシートの反転搬送時のカール状態を示す概略図である。
【図１５】従来のシート搬送装置を備えた画像形成装置の概略構成断面図である。
【符号の説明】
【００５４】
２  画像形成部
３  定着部
14  搬送ローラ対
51  定着排出ローラ
52  第１コロ
53  第２コロ
54  反転ローラ対
56  排出トレイ
57、58  搬送ローラ対
59  定着センサ
60、62  ガイド部材
60ａ、60ｂ、62ａ、62ｂ  ガイド面
64  ガイドコロ
61  ガイドアーム
63  リンクアーム
100  排出部
Ｄ１  搬送路分岐点
Ｎ１  第１ニップ
Ｐ１  第１搬送路
Ｐ２  第２搬送路
Ｐ３  第３搬送路
Ｓ  シート
【図１】
2010083636.tif 000003
【図２】
2010083636.tif 000004
【図３】
2010083636.tif 000005
【図４】
2010083636.tif 000006
【図５】
2010083636.tif 000007
【図６】
2010083636.tif 000008
【図７】
2010083636.tif 000009
【図８】
2010083636.tif 000010
【図９】
2010083636.tif 000011
【図１０】
2010083636.tif 000012
【図１１】
2010083636.tif 000013
【図１２】
2010083636.tif 000014
【図１３】
2010083636.tif 000015
【図１４】
2010083636.tif 000016
【図１５】
2010083636.tif 000017